(57)【要約】【課題】検出対象を含む気体を検出空間に確実に流入させることが可能な感知器を提供すること。【解決手段】  天井の設置面９００に取り付けられる感知器１００であり、検出対象が流入する遮光空間３と、遮光空間３に流入した検出対象を検出する発光部６１及び受光部６２と、発光部６１及び受光部６２及び遮光空間３を収容する本体部２１と、検出対象を含む気体の遮光空間３に対する流入及び／又は流出を可能にする外カバー側内側流入出開口２１２及び外カバー側外側流入出開口２１３であって、取付面１１と略直交する方向を基準にして本体部２１における取付面１１の反対側に向けて設けられている外カバー側内側流入出開口２１２及び外カバー側外側流入出開口２１３と、外カバー側内側流入出開口２１２及び外カバー側外側流入出開口２１３側に設けられている防虫網５と、を備える。【選択図】図４
2019040388.tif 000002
【特許請求の範囲】
【請求項１】
設置対象物の設置面に取り付けられる感知器であって、前記設置面と対向する取付面を備える前記感知器であり、
検出対象が流入する検出空間と、
前記検出空間に流入した前記検出対象を検出する検出手段と、
前記検出手段及び前記検出空間を収容する収容手段と、
前記検出対象を含む気体の前記検出空間に対する流入及び／又は流出を可能にする流入出開口であって、前記取付面と略直交する方向を基準にして前記収容手段における前記取付面の反対側に向けて設けられている前記流入出開口と、
前記流入出開口側に設けられている防虫網と、
を備える感知器。
【請求項２】
前記防虫網は、前記取付面と略直交する方向を基準にして前記収容手段を介して前記取付面の反対側に設けられている誘導部材と、前記収容手段との間に形成される加速領域であって、前記気体を加速して前記流入出開口に流入させる前記加速領域の下流に設けられている、
請求項１に記載の感知器。
【請求項３】
前記防虫網は、前記検出空間の内部から少なくとも前記流入出開口を覆っている、
請求項１又は２に記載の感知器。
【請求項４】
前記防虫網は、平板状である、
請求項１から３の何れか１項に記載の感知器。
【請求項５】
前記防虫網は、前記検出空間を形成する形成部材と一体的に形成されている、
請求項１から４の何れか一項に記載の感知器。
【請求項６】
前記流入出開口は、前記検出空間に流入する前記気体と前記検出空間から流出する前記気体とを分ける区分点の両側に設けられており、
前記防虫網は、前記区分点の両側に設けられている前記流入出開口を覆うように１つのみ設けられている、
請求項１から５の何れか一項に記載の感知器。
【請求項７】
前記検出対象は、煙又は一酸化炭素である、
請求項１から６の何れか一項に記載の感知器。
【発明の詳細な説明】
【技術分野】
【０００１】
本発明は、感知器に関する。
【背景技術】
【０００２】
従来、煙が流入する検煙部と、当該検煙部を収容する外カバーとを備える火災感知器が知られていた（例えば、特許文献１参照）。この火災感知器は、例えば天井に設置され、外カバーに設けられた煙開口を介して検煙部に対して気体を流入出させて、検煙部内に流入した気体中の煙を検出することにより、火災を判定していた。
【先行技術文献】
【特許文献】
【０００３】
【特許文献１】特開２０１１−２４８５４７号公報
【発明の概要】
【発明が解決しようとする課題】
【０００４】
しかしながら、従来の火災感知器においては、検煙部の内部を遮光するために当該検煙部にラビリンスが設けられていたので、検煙部の内圧が比較的高くなってしまい、煙開口から検煙部の内部に至る気体の流入特性が低下してしまう可能性があった。このために、検煙部の内部への気体の流入特性を向上させて、煙を検煙部の内部に確実に流入させる観点において改善の余地があった。
【０００５】
本発明は上記問題に鑑みてなされたもので、検出対象を含む気体を検出空間に確実に流入させることが可能な感知器を提供することを目的とする。
【課題を解決するための手段】
【０００６】
上述した課題を解決し、目的を達成するために、請求項１に記載の感知器は、設置対象物の設置面に取り付けられる感知器であって、前記設置面と対向する取付面を備える前記感知器であり、検出対象が流入する検出空間と、前記検出空間に流入した前記検出対象を検出する検出手段と、前記検出手段及び前記検出空間を収容する収容手段と、前記検出対象を含む気体の前記検出空間に対する流入及び／又は流出を可能にする流入出開口であって、前記取付面と略直交する方向を基準にして前記収容手段における前記取付面の反対側に向けて設けられている前記流入出開口と、前記流入出開口側に設けられている防虫網と、を備える。
【０００７】
また、請求項２に記載の感知器は、請求項１に記載の感知器において、前記防虫網は、前記取付面と略直交する方向を基準にして前記収容手段を介して前記取付面の反対側に設けられている誘導部材と、前記収容手段との間に形成される加速領域であって、前記気体を加速して前記流入出開口に流入させる前記加速領域の下流に設けられている。
【０００８】
また、請求項３に記載の感知器は、請求項１又は２に記載の感知器において、前記防虫網は、前記検出空間の内部から少なくとも前記流入出開口を覆っている。
【０００９】
また、請求項４に記載の感知器は、請求項１から３の何れか一項に記載の感知器において、前記防虫網は、平板状である。
【００１０】
また、請求項５に記載の感知器は、請求項１から４の何れか一項に記載の感知器において、前記防虫網は、前記検出空間を形成する形成部材と一体的に形成されている。
【００１１】
また、請求項６に記載の感知器は、請求項１から５の何れか一項に記載の感知器において、前記流入出開口は、前記検出空間に流入する前記気体と前記検出空間から流出する前記気体とを分ける区分点の両側に設けられており、前記防虫網は、前記区分点の両側に設けられている前記流入出開口を覆うように１つのみ設けられている。
【００１２】
また、請求項７に記載の感知器は、請求項１から６の何れか一項に記載の感知器において、前記検出対象は、煙又は一酸化炭素である。
【発明の効果】
【００１３】
請求項１に記載の感知器によれば、流入出開口が取付面と略直交する方向を基準にして収容手段における取付面の反対側に向けて設けられていることにより、例えば、設置面に沿って移動する気体については、一般的に、設置面と直交する方向における距離が離れている程流速が速くなっているが、この流速が速い側で気体を流入及び／又は流出させることができるので、流入出開口を介して検出空間に流入する気体の流入特性を向上させることができ、検出対象を含む気体を検出空間に確実に流入させることが可能となる。
【００１４】
請求項２に記載の感知器によれば、防虫網が加速領域の下流に設けられていることにより、例えば、気体が防虫網に至る前に当該気体を十分に加速することができるので、気体を検出空間に一層確実に流入させることが可能となる。
【００１５】
請求項３に記載の感知器によれば、防虫網が検出空間の内部から少なくとも流入出開口を覆っていることにより、例えば、防虫網を感知器の外部に対して隠すことができるので、感知器の外観をシンプルにすることができ、感知器の意匠性を向上させることが可能となる。
【００１６】
請求項４に記載の感知器によれば、防虫網が平板状であることにより、例えば、防虫網が比較的単純な構造となっているので、防虫網自体の製造コストを低減したり、感知器への防虫網の取り付け工数を削減することができ、感知器の低コスト化を図ることが可能となる。
【００１７】
請求項５に記載の感知器によれば、防虫網が形成部材と一体的に形成されていることにより、例えば、感知器を製造する場合、防虫網を形成部材に取り付ける取付作業を省略することができるので、感知器の低コスト化を図ることが可能となる。
【００１８】
請求項６に記載の感知器によれば、流入出開口が検出空間に流入する気体と検出空間から流出する気体とを分ける区分点の両側に設けられていることにより、例えば、気体の流入及び流出をスムーズに行わせることができるので、検出対象を含む気体を検出空間により一層確実に流入させることが可能となる。また、防虫網が、区分点の両側に設けられている流入出開口を覆うように１つのみ設けられていることにより、例えば、防虫網を流入出開口毎に設ける必要がない（つまり、複数個設ける必要がない）ので、感知器の部品点数を削減することができ、感知器の低コスト化を図ることが可能となる。
【００１９】
請求項７に記載の感知器によれば、検出対象が煙又は一酸化炭素であることにより、例えば、設置面に沿って移動する煙又は一酸化炭素を含む気体については、一般的に、設置面と直交する方向における距離が離れている程流速が速くなっているが、この流速が速い側で煙又は一酸化炭素を含む気体を流入及び／又は流出させることができるので、流入出開口を介して検出空間に流入する煙又は一酸化炭素を含む気体の流入特性を向上させることができ、煙又は一酸化炭素を含む気体を検出空間に確実に流入させることが可能となる。
【図面の簡単な説明】
【００２０】
【図１】本実施の形態に係る感知器の斜視図である。
【図２】感知器底面からみた内部図である。
【図３】感知器の側面図である。
【図４】図２のＡ―Ａ矢視断面図である。
【図５】図４において気流を例示した図である。
【００２１】
以下に、本発明に係る感知器の実施の形態を図面に基づいて詳細に説明する。なお、この実施の形態によりこの発明が限定されるものではない。
【００２２】
〔実施の形態の基本的概念〕
まずは、実施の形態の基本的概念について説明する。実施の形態は、概略的に、感知器に関するものである。
【００２３】
ここで、「感知器」とは、監視領域を監視する装置であり、具体的には、監視領域の検出対象を検出することにより監視領域の異常を監視するものであり、例えば、設置対象物の設置面に取り付けられるものであり、一例としては、火災、ガス漏れ等の異常を判定する機器である。この「感知器」は、例えば、煙感知器、熱感知器、火災感知器、及びガス漏れ感知器等を含む概念である。
【００２４】
なお、「監視領域」とは、感知器による監視の対象となっている領域であり、具体的には、一定の広がりを持った空間であって、屋内あるいは屋外の空間であり、例えば、建物の廊下、階段、又は部屋等の空間を含む概念である。また、「設置対象物」とは、感知器を設置する対象物であって、例えば、監視領域内の天井、壁等が挙げられる。また、「設置面」とは、感知器が設置される設置対象物の面であって、例えば、天井における監視領域側の面（つまり、天井の下面）、壁における監視領域側の面（つまり、壁の室内側面）等が挙げられる。
【００２５】
また、「監視領域の異常」とは、監視領域が通常とは異なっている状態になっていることであり、例えば、火災発生、ガス漏れ発生等を含む概念である。また、「検出対象」とは、感知器による検出の対象であり、具体的には、監視領域の異常に関連するものであり、例えば、煙、熱、炎、及び一酸化炭素等の有毒ガス等を含む概念である。
【００２６】
そして、以下の実施の形態においては、「感知器」が「火災感知器」であり、「監視領域」が「建物の部屋」であり、「設置対象物」が「天井」であり、「監視領域の異常」が「火災発生」であり、「検出対象」が「煙」である場合について説明する。
【００２７】
（構成）
まず、本実施の形態に係る感知器の構成について説明する。図１は、本実施の形態に係る感知器の斜視図であり、図２は、感知器底面からみた内部図であり、図３は、感知器の側面図であり、図４は、図２のＡ―Ａ矢視断面図である。なお、説明の便宜上、図２では、図１の誘導部２２及びリブ２３が省略されており、且つ、図３の感知器１００を下側（−Ｚ方向）からみた状態の感知器１００の内部を少なくとも図示しており、また、図３及び図４では、図１のリブ２３が省略されている。
【００２８】
なお、以下の説明では、各図に示すＸ―Ｙ―Ｚが互いに直交する方向であり、具体的には、Ｚ方向が鉛直方向（つまり、重力が働く方向）であって、Ｘ方向及びＹ方向が鉛直方向に対して直交する水平方向であるものとして、例えば、Ｚ方向を高さ方向と称し、＋Ｚ方向を上側（平面）と称し、−Ｚ方向を下側（底面）と称して説明する。また、以下の「Ｘ―Ｙ―Ｚ方向」に関する用語については、図示の感知器１００において、各構成品の相対的な位置関係（又は、方向）等を説明するための便宜的な表現であることとし、図４の遮光空間３の中心位置を基準として、遮光空間３から離れる方向を「外側」と称し、遮光空間３に近づく方向を「内側」と称して、以下説明する。以下では、感知器１００全体の構成を説明した後に、特に特徴的な構成の詳細について説明する。
【００２９】
これら各図に示す感知器１００は、気体に含まれている検出対象である煙を検出することにより、火災発生を監視して警報する警報手段であり、具体的には、図４に示すように、監視領域の天井における下側（−Ｚ方向）の面（つまり、下面）である設置面９００に取り付けて用いるものであり、例えば、取付ベース１、外カバー２、遮光空間３、検煙部カバー４、防虫網５、及び回路基板６を備える。
【００３０】
（構成‐取付ベース）
取付ベース１は、設置面９００に対して、外カバー２を取り付けるための取付手段である。この取付ベース１の具体的な種類や構成は任意であるが、例えば、設置面９００と対向する面である取付面１１を備えているものであって、外カバー２と設置面９００との間において、設置面９００に対して公知の固定手段（例えば、ねじあるいは嵌合構造等）によって固定されているものであり、また、全体として円盤形状の樹脂製のものである。
【００３１】
（構成‐外カバー）
次に、図４の外カバー２は、感知器１００の構成要素である遮光空間３、検煙部カバー４、防虫網５、及び回路基板６（以下、収容対象物）を覆うカバーであり、具体的には、取付ベース１を介して設置面９００に取り付けられるものであり、例えば、全体として円盤形状の樹脂製のものである。なお、外カバー２の詳細については後述する。
【００３２】
（構成‐遮光空間）
次に、図４の遮光空間３は、外部から遮光された空間であって、煙が流入する検出空間であり、具体的には、検煙部カバー４及び回路基板６によって囲まれている空間である。この遮光空間３の具体的な種類や構成は任意であるが、例えば、検出点３１、及び発生空間３２を備える空間である。
【００３３】
（構成‐遮光空間‐検出点）
検出点３１は、遮光空間３内の点であって、煙を検出する基準となる点であり、例えば、図２及び図４に示す後述の発光側光軸６１１及び受光側光軸６２１が相互に交わる位置であり、一例としては、水平方向（ＸＹ平面に平行な方向）において感知器１００の中心付近となる位置である。
【００３４】
（構成‐遮光空間‐発生空間）
発生空間３２は、遮光空間３内の空間であって、煙が流入する空間であり、具体的には、検出点３１を取り囲む空間であり、例えば、後述の発光部６１から発光された検出光が照射される空間であって、受光部６２にて受光される散乱光が発生し得る空間である。ここで、「検出光」とは、火災発生を判定するために煙を検出するための光であり、具体的には、散乱光の基となる光であり、例えば、発光部６１から発光されて出力される光である。また、「散乱光」とは、火災発生を判定するために煙を検出するための光であり、具体的には、検出光が煙の粒子に照射されることにより散乱され、当該散乱によって生じる光であり、例えば、後述の受光部６２にて受光される光である。
【００３５】
（構成‐検煙部カバー）
次に、図４の検煙部カバー４は、遮光空間３を区画する区画手段であり、具体的には、回路基板６と共に遮光空間３を取り囲むものであり、また、当該遮光空間３を形成する形成部材である。この検煙部カバー４の具体的な種類や構成は任意であるが、例えば、回路基板６に任意の固定手段（例えば、ネジ、接着剤、係合構造、あるいは、嵌合構造等）を用いて固定されるものであり、また、中空部を有する黒色の樹脂製のものであり、また、検煙部カバー側流入出開口４１を備えるものである。
【００３６】
（構成‐検煙部カバー‐検煙部カバー側流入出開口）
検煙部カバー側流入出開口４１は、煙を含む気体の遮光空間３に対する流入及び／又は流出を可能にする流入出開口であり、具体的には、検煙部カバー４に設けられている開口であり、例えば、取付面１１と略直交する方向（Ｚ方向）を基準にして検煙部カバー４における取付面１１の反対側（−Ｚ方向）に向けて設けられている開口であり、１つのみ設けられている開口である。
【００３７】
（構成‐防虫網）
次に、図４の防虫網５は、外カバー２の外部の虫が遮光空間３に侵入するのを防止する防虫手段であり、具体的には、外カバー２の外部から遮光空間３の内部に、防虫網５自身の小孔を介して気体が流入するのを許容する一方で、遮光空間３に虫が入ることを防止するものである。なお、防虫網５の詳細については後述する。
【００３８】
（構成‐回路基板）
次に、図４の回路基板６は、感知器１００の各素子が実装される実装手段であり、また、遮光空間３を区画する区画手段であり、具体的には、検煙部カバー４と共に遮光空間３を取り囲むものである。この回路基板６の具体的な種類や構成は任意であるが、例えば、外カバー２の内部に前述の任意の固定手段を用いて固定されるものであり、また、全体としてＸＹ平面に沿ってひろがっている平板形状のものであり、また、発光部６１及び受光部６２を備えるものである。
【００３９】
（構成‐回路基板‐発光部）
発光部６１は、遮光空間３に流入した煙を検出する検出手段であり、具体的には、遮光空間３内の発生空間３２に向けて発光側光軸６１１に沿って検出光を発光する発光手段であって、回路基板６に実装されているものであり、例えば、任意の発光部品（一例としては、発光ダイオード等）及び任意の光学部品（一例としては、プリズム等）を備えて構成されるものである。ここで、発光側光軸６１１は、発光部６１からの検出光が出力される直進方向を示す軸であり、例えば、発光部６１における検出光を出力する部分と検出点３１とを結ぶ直線に対応するものであり、図２及び図４にて仮想的に図示されている直線に対応するものである。
【００４０】
（構成‐回路基板‐受光部）
受光部６２は、遮光空間３に流入した煙を検出する検出手段であり、具体的には、発光部６１から発光された検出光が遮光空間３の発生空間３２に流入した煙により散乱されることで生じる前述の散乱光を、受光側光軸６２１に沿って受光する受光手段であって、回路基板６に実装されているものであり、例えば、任意の受光部品（一例としては、フォトダイオード等）及び任意の光学部品（一例としては、プリズム等）を備えて構成されるものである。ここで、受光側光軸６２１は、受光部６２が散乱光を受光する方向を示す軸であって、例えば、検出点３１にて発光側光軸６１１と交わるものであって、受光部６２における散乱光を受光する部分と検出点３１とを結ぶ直線に対応するものであり、図２及び図４にて仮想的に図示されている直線に対応するものである。そして、この受光側光軸６２１及び発光側光軸６１１の向きについては、これらの各軸が相互に交わる点が遮光空間３の内部になる限りにおいて任意に設定され得るが、ここでは、例えば、これらの受光側光軸６２１及び発光側光軸６１１によって定まる平面がＸＹ平面と平行になるように設定されているものとして、以下説明する。
【００４１】
（構成‐詳細）
次に、外カバー２及び防虫網５の詳細について説明する。
【００４２】
（構成‐詳細‐外カバー）
図４の外カバー２は、例えば、本体部２１、誘導部２２、図１のリブ２３、及び図４の加速領域２４を備えているものである。
【００４３】
（構成‐詳細‐外カバー‐本体部）
本体部２１は、収容対象物を収容する収容手段であり、具体的には、高さ方向（Ｚ方向）における上側（＋Ｚ方向）に設けられている円筒状部分と、この円筒状部分から下側（−Ｚ方向）に向かうにつれて小径となっているテーパ状部分とによって形成されているものであり、例えば、本体部側傾斜部２１１、外カバー側内側流入出開口２１２、外カバー側外側流入出開口２１３、及び案内羽２１４を備える。
【００４４】
（構成‐詳細‐外カバー‐本体部‐本体部側傾斜部）
本体部側傾斜部２１１は、気体が外カバー側内側流入出開口２１２及び外カバー側外側流入出開口２１３を介して遮光空間３に流入するように当該気体を誘導する誘導手段であり、具体的には、取付面１１と略直交する方向（Ｚ方向）を基準にして本体部２１における取付面１１の反対側（−Ｚ方向）に形成される第１誘導手段であって、本体部２１の少なくとも一部を、外カバー側内側流入出開口２１２及び外カバー側外側流入出開口２１３に向かうにつれて（つまり、ＸＹ平面に沿って外側から内側に向かうにつれて）取付面１１から離れるように傾斜させることにより形成される第１誘導手段である。この本体部側傾斜部２１１の具体的な構成は任意であるが、例えば、気体の流入特性を検討する実験やシミュレーションを実施して、実施結果に基づいて最適な流入特定となるように本体部側傾斜部２１１の位置や傾斜角度を決定することによって構成されることとする。
【００４５】
（構成‐詳細‐外カバー‐本体部‐外カバー側内側流入出開口）
外カバー側内側流入出開口２１２は、煙を含む気体の遮光空間３に対する流入及び／又は流出を可能にする流入出開口であって、取付面１１と略直交する方向（Ｚ方向）を基準にして本体部２１における取付面１１の反対側（−Ｚ方向）に向けて設けられているものである（外カバー側外側流入出開口２１３も同様とする）。この外カバー側内側流入出開口２１２の具体的な構成は任意であるが、例えば、案内羽２１４によって自己の少なくとも一部が形成されているものであり、また、区分点２１ａの両側に設けられているものであり、一例としては、図２に示すように区分点２１ａの周囲に８個設けられているものであり、また、区分点２１ａに近付くにつれて開口面積が狭くなるように構成されているものである。ここで、区分点２１ａとは、遮光空間３に流入する気体と遮光空間３から流出する気体とを分ける点であり、具体的には、本体部２１における下側（−Ｚ方向）の一部であって、例えば、検出点３１の直下の本体部２１と誘導部２２とが相互に接続されている部分である。
【００４６】
（構成‐詳細‐外カバー‐本体部‐案内羽）
外カバー側外側流入出開口２１３の具体的な構成は任意であるが、例えば、案内羽２１４によって自己の少なくとも一部が形成されているものであり、また、区分点２１ａの両側に設けられているものであり、一例としては、８個の外カバー側内側流入出開口２１２の周囲に８個設けられているものであり、また、区分点２１ａに近付くにつれて開口面積が狭くなるように構成されているものであり、また、外カバー側外側流入出開口２１３各々の開口面積が、外カバー側内側流入出開口２１２各々の開口面積よりも大きくなるように構成されているものである。
【００４７】
案内羽２１４は、外カバー側内側流入出開口２１２及び外カバー側外側流入出開口２１３を介して遮光空間３に流入した後に、外カバー側内側流入出開口２１２及び外カバー側外側流入出開口２１３を介して遮光空間３から流出する気体の流れにおいて、少なくとも遮光空間３の内部にて、複数層の気体の流れが発生するように気体を案内する案内手段である。図５は、図４において気流を例示した図である。この案内羽２１４の具体的な構成は任意であるが、例えば、少なくとも、図５の手前側気流Ｆ１及び奥側気流Ｆ２が発生するように案内するものであり、また、ＸＹ平面において内側に向かうにつれて上側（＋Ｚ方向）に移動するように傾斜しているもの、つまり、検出点３１に向かって傾斜しているものである。
【００４８】
ここで、手前側気流Ｆ１及び奥側気流Ｆ２は、少なくとも案内羽２１４によって発生する気体の流れであり、具体的には、相互に異なる２層の気流の流れである。詳細には、手前側気流Ｆ１は、外カバー側内側流入出開口２１２に対して流入及び／又は流出する層の気体の流れであり、本体部２１における下側（−Ｚ方向）の面から比較的近い位置を流れる層（第１の層）の気流である。奥側気流Ｆ２は、外カバー側外側流入出開口２１３に対して流入及び／又は流出する層の気体の流れであり、本体部２１における下側（−Ｚ方向）の面から比較的遠い位置を流れる層（第２の層）の気流であり、つまり、手前側気流Ｆ１よりも取付面１１側を流れる気流である。
【００４９】
（構成‐詳細‐外カバー‐誘導部）
図４の誘導部２２は、取付面１１と略直交する方向（Ｚ方向）を基準にして本体部２１を介して取付面１１の反対側（−Ｚ方向）に設けられている誘導部材であり、具体的には、全体としては、本体部２１よりも小径のものであり、例えば、誘導部側傾斜部２２１を備える。
【００５０】
（構成‐詳細‐外カバー‐誘導部‐誘導部側傾斜部）
誘導部側傾斜部２２１は、気体が外カバー側内側流入出開口２１２及び外カバー側外側流入出開口２１３を介して遮光空間３に流入するように当該気体を誘導する誘導手段であり、具体的には、誘導部２２に形成される第２誘導手段であって、誘導部２２における本体部２１側の少なくとも一部を、外カバー側内側流入出開口２１２及び外カバー側外側流入出開口２１３に向かうにつれて（つまり、ＸＹ平面に沿って外側から内側に向かうにつれて）取付面１１に近付くように傾斜させることにより形成される第２誘導手段である。この誘導部側傾斜部２２１の具体的な構成は任意であるが、例えば、前述の本体部側傾斜部２１１と同様にして構成されることとする。
【００５１】
（構成‐詳細‐外カバー‐リブ）
図１のリブ２３は、気体が外カバー側内側流入出開口２１２及び外カバー側外側流入出開口２１３を介して遮光空間３に流入するように当該気体を誘導する誘導手段であり、具体的には、当該誘導手段としての機能と共に、本体部２１に対して誘導部２２を固定して補強する補強手段として機能するものである。このリブ２３の具体的な構成は任意であるが、例えば、本体部２１と誘導部２２との間に設けられているものであり、また、図２の８個の外カバー側内側流入出開口２１２各々及び８個の外カバー側外側流入出開口２１３各々を相互に区画するように、区分点２１ａを基準に放射状に８個設けられているものである。
【００５２】
（構成‐詳細‐外カバー‐加速領域）
図４の加速領域２４は、気体を加速して外カバー側内側流入出開口２１２及び外カバー側外側流入出開口２１３に流入させる加速手段であり、具体的には、本体部２１と誘導部２２との間に設けられている領域であって、図１のリブ２３に区画されている領域である。この加速領域２４の具体的な構成は任意であるが、例えば、外カバー側内側流入出開口２１２及び外カバー側外側流入出開口２１３に向かうにつれて（つまり、ＸＹ平面に沿って外側から内側に向かうにつれて）狭くなるように構成されているものである。
【００５３】
（構成‐詳細‐防虫網）
図４の防虫網５は、前述の防虫手段である。この防虫網５の具体的な構成は任意であるが、例えば、外カバー側内側流入出開口２１２及び外カバー側外側流入出開口２１３側に設けられているものであり、また、加速領域２４の下流に設けられているものであり、また、遮光空間３の外部に設けられているものであり、また、平板状のものであり、また、検煙部カバー４とは別体として形成されているものであり、また、外カバー側内側流入出開口２１２及び外カバー側外側流入出開口２１３全てを覆うように１つのみ設けられたものである。ここで、「加速領域２４の下流」とは、遮光空間３に流入する気体において下流ということを示す概念であり、例えば、遮光空間３に流入する気体が加速領域２４を通過した後に防虫網５に至ることを示す概念である。
【００５４】
（気流）
次に、このように構成された、感知器１００における気流について説明する。なお、感知器１００は、火災発生により発生した煙を含む気体が、あらゆる方向から移動してきた場合において、当該気体を遮光空間３に取り込んで検出し、迅速且つ確実に火災発生の判定を行うことができるが、ここでは、図５を参照して、例えば、火災による煙を含む気体が、図面左側から感知器１００に向かって移動する場合の気流の例について説明する。
【００５５】
まず、図５の白抜き矢印が示すように感知器１００に向かって移動する気体は、少なくとも本体部側傾斜部２１１及び誘導部側傾斜部２２１によって、外カバー側内側流入出開口２１２及び外カバー側外側流入出開口２１３を介して遮光空間３に誘導される。つまり、当該気体は、加速領域２４にて流速が加速されて、外カバー側内側流入出開口２１２及び外カバー側外側流入出開口２１３、防虫網５、及び検煙部カバー側流入出開口４１を介してして遮光空間３の内部に移動することになる。
【００５６】
この場合、当該気体は、少なくとも案内羽２１４によって、遮光空間３の内部で複数層の気流が発生するように案内される。つまり、手前側気流Ｆ１及び奥側気流Ｆ２が発生するが、これらの気流については、案内羽２１４の構成、外カバー側内側流入出開口２１２及び外カバー側外側流入出開口２１３の開口面積、加速領域２４等を含む外カバー２の構成により、手前側気流Ｆ１の流速が奥側気流Ｆ２の流速よりも早くなっており、このために、奥側気流Ｆ２が手前側気流Ｆ１によって押し上げられて、少なくとも当該押し上げられた奥側気流Ｆ２が発生空間３２に確実に到達することになるので、煙を確実に検出して火災発生を確実に判定することが可能なる。
【００５７】
次に、この手前側気流Ｆ１及び奥側気流Ｆ２の気体は、外カバー側外側流入出開口を介して遮光空間３の外部に誘導される。つまり、当該気体は、検煙部カバー側流入出開口４１、防虫網５、及び外カバー側内側流入出開口２１２及び外カバー側外側流入出開口２１３を介して遮光空間３の外部に移動することになる。
【００５８】
（実施の形態の効果）
このように本実施の形態によれば、外カバー側内側流入出開口２１２及び外カバー側外側流入出開口２１３が取付面１１と略直交する方向を基準にして本体部２１における取付面１１の反対側（−Ｚ方向）に向けて設けられていることにより、例えば、設置面９００に沿って移動する気体については、一般的に、設置面９００と直交する方向における距離が離れている程流速が速くなっているが、この流速が速い側で気体を流入及び／又は流出させることができるので、外カバー側内側流入出開口２１２及び外カバー側外側流入出開口２１３を介して遮光空間３に流入する気体の流入特性を向上させることができ、検出対象を含む気体を遮光空間３に確実に流入させることが可能となる。
【００５９】
また、防虫網５が加速領域２４の下流に設けられていることにより、例えば、気体が防虫網５に至る前に当該気体を十分に加速することができるので、気体を遮光空間３に一層確実に流入させることが可能となる。
【００６０】
また、防虫網５が平板状であることにより、例えば、防虫網５が比較的単純な構造となっているので、防虫網５自体の製造コストを低減したり、感知器１００への防虫網５の取り付け工数を削減することができ、感知器１００の低コスト化を図ることが可能となる。
【００６１】
また、外カバー側内側流入出開口２１２及び外カバー側外側流入出開口２１３が遮光空間３に流入する気体と遮光空間３から流出する気体とを分ける区分点２１ａの両側に設けられていることにより、例えば、気体の流入及び流出をスムーズに行わせることができるので、検出対象を含む気体を遮光空間３により一層確実に流入させることが可能となる。また、防虫網５が、区分点２１ａの両側に設けられている外カバー側内側流入出開口２１２及び外カバー側外側流入出開口２１３を覆うように１つのみ設けられていることにより、例えば、防虫網５を外カバー側内側流入出開口２１２及び外カバー側外側流入出開口２１３毎に設ける必要がない（つまり、複数個設ける必要がない）ので、感知器１００の部品点数を削減することができ、感知器１００の低コスト化を図ることが可能となる。
【００６２】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００６３】
（解決しようとする課題や発明の効果について）
まず、発明が解決しようとする課題や発明の効果は、上述の内容に限定されるものではなく、発明の実施環境や構成の詳細に応じて異なる可能性があり、上述した課題の一部のみを解決したり、上述した効果の一部のみを奏したりすることがある。
【００６４】
（分散や統合について）
また、上述した構成は機能概念的なものであり、必ずしも物理的に図示の如く構成されていることを要しない。すなわち、各部の分散や統合の具体的形態は図示のものに限られず、その全部または一部を、任意の単位で機能的または物理的に分散又は統合して構成できる。例えば、上述の各特徴のうちの任意のものを従来のものに置き換えてもよい。例えば、発光部６１の代わりに、当該発光部６１と同様な機能を有するが相互に異なる波長の検出光を出力する他の発光部を複数用いてもよい。
【００６５】
（気流の層の数について）
上記実施の形態では、案内羽２１４を用いて２層の気流を発生させる場合について説明したが、これに限らない。例えば、案内羽２１４と同様な構成の他の案内羽を、区分点２１ａと本体部２１の外周縁との間に、放射状に２個以上設けることにより、外カバー側内側流入出開口２１２及び外カバー側外側流入出開口２１３と同様な流入出開口の数を増加させて、３層以上の気流を発生させてもよい。また、気体の流入特性が良好であることが確認される場合等の任意の場合には、案内羽２１４を省略して２層の気流を発生させてもよい。
【００６６】
（防虫網について）
上記実施形態の防虫網５の代わりに、以下の他の防虫網を用いてもよい。他の防虫網については、防虫網５と同様な機能を発揮するように構成してもよく、例えば、加速領域２４の内部に設けてもよく、又は、気体の流れが十分に早いことが想定される場合等の任意の場合には、加速領域２４の上流に設けてもよく、又は、遮光空間３の内部に設けてもよく（つまり、遮光空間３の内部から少なくとも外カバー側内側流入出開口２１２及び外カバー側外側流入出開口２１３を覆うように構成してもよく）、また、平板状以外の湾曲状等の任意の形状にしてよく、また、検煙部カバー４の検煙部カバー側流入出開口４１の内部に当該検煙部カバー４と一体的に形成してもよく、又は、外カバー側内側流入出開口２１２及び外カバー側外側流入出開口２１３のうちの任意の開口を覆うように複数設けてもよい。特に、防虫網５が遮光空間３の内部から少なくとも外カバー側内側流入出開口２１２及び外カバー側外側流入出開口２１３を覆うように構成した場合、例えば、防虫網５を感知器１００の外部に対して隠すことができるので、感知器１００の外観をシンプルにすることができ、感知器１００の意匠性を向上させることが可能となる。また、防虫網５が検煙部カバー４と一体的に形成された場合、例えば、感知器１００を製造する場合、防虫網５を検煙部カバー４に取り付ける取付作業を省略することができるので、感知器１００の低コスト化を図ることが可能となる。
【００６７】
（検出点について）
上記実施の形態の発生空間３２内の全ての点を検出点と解釈してもよい。
【００６８】
（付記）
付記１の感知器は、設置対象物の設置面に取り付けられる感知器であって、前記設置面と対向する取付面を備える前記感知器であり、検出対象が流入する検出空間と、前記検出空間に流入した前記検出対象を検出する検出手段と、前記検出手段及び前記検出空間を収容する収容手段と、前記検出対象を含む気体の前記検出空間に対する流入及び／又は流出を可能にする流入出開口であって、前記取付面と略直交する方向を基準にして前記収容手段における前記取付面の反対側に向けて設けられている前記流入出開口と、前記流入出開口側に設けられている防虫網と、を備える。
【００６９】
付記２の感知器は、付記１に記載の感知器において、前記防虫網は、前記取付面と略直交する方向を基準にして前記収容手段を介して前記取付面の反対側に設けられている誘導部材と、前記収容手段との間に形成される加速領域であって、前記気体を加速して前記流入出開口に流入させる前記加速領域の下流に設けられている。
【００７０】
付記３の感知器は、付記１又は２に記載の感知器において、前記防虫網は、前記検出空間の内部から少なくとも前記流入出開口を覆っている。
【００７１】
付記４の感知器は、付記１から３の何れか一項に記載の感知器において、前記防虫網は、平板状である。
【００７２】
付記５の感知器は、付記１から４の何れか一項に記載の感知器において、前記防虫網は、前記検出空間を形成する形成部材と一体的に形成されている。
【００７３】
付記６の感知器は、付記１から５の何れか一項に記載の感知器において、前記流入出開口は、前記検出空間に流入する前記気体と前記検出空間から流出する前記気体とを分ける区分点の両側に設けられており、前記防虫網は、前記区分点の両側に設けられている前記流入出開口を覆うように１つのみ設けられている。
【００７４】
付記７の感知器は、付記１から６の何れか一項に記載の感知器において、前記検出対象は、煙又は一酸化炭素である。
【００７５】
（付記の効果）
付記１に記載の感知器によれば、流入出開口が取付面と略直交する方向を基準にして収容手段における取付面の反対側に向けて設けられていることにより、例えば、設置面に沿って移動する気体については、一般的に、設置面と直交する方向における距離が離れている程流速が速くなっているが、この流速が速い側で気体を流入及び／又は流出させることができるので、流入出開口を介して検出空間に流入する気体の流入特性を向上させることができ、検出対象を含む気体を検出空間に確実に流入させることが可能となる。
【００７６】
付記２に記載の感知器によれば、防虫網が加速領域の下流に設けられていることにより、例えば、気体が防虫網に至る前に当該気体を十分に加速することができるので、気体を検出空間に一層確実に流入させることが可能となる。
【００７７】
付記３に記載の感知器によれば、防虫網が検出空間の内部から少なくとも流入出開口を覆っていることにより、例えば、防虫網を感知器の外部に対して隠すことができるので、感知器の外観をシンプルにすることができ、感知器の意匠性を向上させることが可能となる。
【００７８】
付記４に記載の感知器によれば、防虫網が平板状であることにより、例えば、防虫網が比較的単純な構造となっているので、防虫網自体の製造コストを低減したり、感知器への防虫網の取り付け工数を削減することができ、感知器の低コスト化を図ることが可能となる。
【００７９】
付記５に記載の感知器によれば、防虫網が形成部材と一体的に形成されていることにより、例えば、感知器を製造する場合、防虫網を形成部材に取り付ける取付作業を省略することができるので、感知器の低コスト化を図ることが可能となる。
【００８０】
付記６に記載の感知器によれば、流入出開口が検出空間に流入する気体と検出空間から流出する気体とを分ける区分点の両側に設けられていることにより、例えば、気体の流入及び流出をスムーズに行わせることができるので、検出対象を含む気体を検出空間により一層確実に流入させることが可能となる。また、防虫網が、区分点の両側に設けられている流入出開口を覆うように１つのみ設けられていることにより、例えば、防虫網を流入出開口毎に設ける必要がない（つまり、複数個設ける必要がない）ので、感知器の部品点数を削減することができ、感知器の低コスト化を図ることが可能となる。
【００８１】
付記７に記載の感知器によれば、検出対象が煙又は一酸化炭素であることにより、例えば、設置面に沿って移動する煙又は一酸化炭素を含む気体については、一般的に、設置面と直交する方向における距離が離れている程流速が速くなっているが、この流速が速い側で煙又は一酸化炭素を含む気体を流入及び／又は流出させることができるので、流入出開口を介して検出空間に流入する煙又は一酸化炭素を含む気体の流入特性を向上させることができ、煙又は一酸化炭素を含む気体を検出空間に確実に流入させることが可能となる。
【符号の説明】
【００８２】
１  取付ベース
２  外カバー
３  遮光空間
４  検煙部カバー
５  防虫網
６  回路基板
１１  取付面
２１  本体部
２１ａ  区分点
２２  誘導部
２３  リブ
２４  加速領域
３１  検出点
３２  発生空間
４１  検煙部カバー側流入出開口
６１  発光部
６２  受光部
１００  感知器
２１１  本体部側傾斜部
２１２  外カバー側内側流入出開口
２１３  外カバー側外側流入出開口
２１４  案内羽
２２１  誘導部側傾斜部
６１１  発光側光軸
６２１  受光側光軸
９００  設置面
Ｆ１  手前側気流
Ｆ２  奥側気流
【図１】
2019040388.tif 000003
【図２】
2019040388.tif 000004
【図３】
2019040388.tif 000005
【図４】
2019040388.tif 000006
【図５】
2019040388.tif 000007